(57)【要約】      （修正有）【課題】物品の前記対象物を全面に亘って鑑賞できるような透明容器で覆った物品支持台を持つ記念品の飾りケースを提供する。【解決手段】特定の対象者の物品を透明容器で覆った物品支持台に保持させている記念品の飾りケース１において、物品支持台２を有する一定の透明囲い容器３として、その内部に保持された対象物の保管と鑑賞とを可能にし、対象物の裏面も含めて全面を十分に鑑賞・観察できるように、物品支持台２の上面を鏡面板４にして、対象物を保持・設置する固定台５も透明樹脂によって製作して、対象物を全面に亘って鑑賞できるようになっている。【選択図】図１
0003216238.tif 000002
【実用新案登録請求の範囲】
【請求項１】
記念品であって特定の対象者の物品を透明容器で覆った物品支持台に保持させている飾りケースにおいて、特定の対象者の物品を、物品支持台を有する一定の透明囲い容器として、その内部に保持された対象物の保管と鑑賞とを可能にし、対象物の裏面も含めて全面を十分に鑑賞・観察できるように、物品支持台の上面を鏡面にして、対象物を保持・設置する固定台も透明樹脂によって製作されて、関連する記念品となる特定の対象者の物品の前記対象物を全面に亘って鑑賞できるようになっていることを特徴とする記念品飾りケース。
【請求項２】
前記透明囲い容器は、２〜８ｍｍの厚さの透明性アクリル酸樹脂で、一辺１００〜７００ｍｍ、高さ１００〜７００ｍｍの四角形、五角形、六角形箱状体であって、嵌め込み型、或いは置き型の状態で前記物品支持台上に置かれ、前記物品支持台は前記囲い容器の形状と同形であって、モールディング材料での棹状フレームとスペーサー体で同形状に製作されている額縁状にして、表面に鏡面を持つガラス材、又は樹脂材、又は金属材と底面に木質板材から構成された３０〜１００ｍｍ高さの額縁状箱体にしており、前記透明囲い容器と前記物品支持台とを嵌め込み型、或いは置き型状態にして接合されていることを特徴とする請求項１に記載の記念品飾りケース。
【請求項３】
記念品であって特定の対象者の物品は、アスリート、アーティスト，タレントが所有していた、容積として５０〜３０００ｃｍ３であるグローブ、シューズ、キャップ、ヘルメット、ボール、ラッケットであって、前記物品を固定する固定台として、３〜５ｍｍの厚さの透明なアクリル酸製樹脂の円筒形、又は平板のＴ形とＨ形の形状で、高さ２０〜１００ｍｍ、幅５０〜１００ｍｍ、奥行き５０〜１００ｍｍの寸法になっていることを特徴とする請求項１、又は請求項２に記載の記念品飾りケース。
【請求項４】
物品支持台の上面を鏡面は、モールディング材料での棹状フレームとスペーサー体で製作された額縁状枠体に四角形、五角形、六角形の形状のガラス、又は樹脂、又は金属の鏡面板体を嵌め込まれており、前記鏡面板体の上面に、対象物を設置する前記透明固定台を載せて、対象物の裏面を反射的に映し出して鑑賞・観察できるようにして、前記透明性囲い容器を前記額縁状枠体の内側に置く置き型、又は前記額縁状枠体の外側に嵌める嵌め込み型の状態にして、対象物の裏面容姿を強調的に表現させていることを特徴とする請求項１〜請求項３のいずれかに記載の記念品飾りケース。
【考案の詳細な説明】
【技術分野】
【０００１】  本考案は、アスリート、アーティスト、タレントが所有するグローブ、シューズ、キャップ、ヘルメット、ボール、ラッケットなどの記念品であって特定の対象者を所有する物品を物品支持台に支持させる記念品を鑑賞的観察できるようになっている飾りケースに関する。
【背景技術】
【０００２】スポーツに関係する記念品の蒐集および展示は従来からポピュラーな趣味となっており、現在でもかかる記念品に対する要求は極度に高くなっている。従来、かかる物品は一般に、画像が印刷され、彫りこまれ、浮彫りにされ、またはスタンプされたカード等のような平面的な形状のものを含んでいた。それに加えて、野球のボール、バットまたはその他のスポーツに関連するものを含む、展示を目的としたものがある。後者は伝統的に、展示品の保護を兼ねて外部から観ることができるプラスチック容器内に展示されてきた。しかしながら、これらの展示用容器は一般に、内容物の魅力を引きたたせるものではなく、それらが注目されるスポーツの性格を強調するものでもなかった。【０００３】  節句人形、羽子板、破魔弓及びこれらに類する記念品の慶事物品の飾りケースは、慶事物品の見栄えをよくしたり、慶事物品を特定の姿勢で安定して支持するため、物品支持台が用いられる。例えば、節句人形を収納するケースは、節句人形の見栄えをよくするため、節句人形を載せる台座用の物品支持台や、節句人形の背景を支持する物品支持台が利用される。また、羽子板や破魔弓を収納するケースは、そのままでは羽子板や破魔弓が倒れてしまうことから、例えば特許文献１及び特許文献２に見られるように、羽子板を立て掛けて支える物品支持台や、破魔弓を貫通させて保持する物品支持台が利用される。このように、慶事物品の飾りケースは、慶事物品毎に適した物品支持台が用いられる（特許文献１，２参照）。【０００３】  慶事物品は、特定の人物（慶事対象者）を対象にして飾られることも少なくない。こうした特定の慶事対象者を祝う慶事物品の飾りケースは、誰が慶事対象者であるのかが一目瞭然になることが好まれる。慶事物品に慶事対象者の氏名等を記載した名札（メモリアルプレート）を取り付けることにより、誰が慶事対象者であるのかを一目瞭然にすることができる。物品支持台となる台座に慶事物品に直接取り付ける（特許文献３参照）。【０００４】特定のスポーツに関する興味の対象物と、該興味の対象物を少なくとも部分的に閉じ込める容器とを備え、該容器は、その内部に保持された前記興味の対象物の外部からの観察を可能にするために、その少なくとも十分に大きな領域部分に亘って透明であり、該容器は、前記興味の対象物が関連する前記スポーツのプレーに使用するのに適した特定の種類の実際のボールであると認識し得る外観を表している記念品が提案されている（特許文献４参照）。【０００５】記念品や資料を日常的に室内装飾品として使用でき、かつ必要に応じて取り出しやすい記念品展示収納箱として、開閉可能に連結された蓋部と本体部とからなる記念品収納箱において、前記蓋部と本体部とのそれぞれに展示収納部を設け、蓋部側の展示収納部は、写真や歌詞カードなど厚みの薄い展示品を陳列し、本体部側の展示収納部には、記念品やミニチュア品など厚みの厚い展示品を陳列してなり、前記展示収納部は、その開口側が透明な内蓋により塞がれているものが提案されている（特許文献５参照）。【０００６】グローブ、シューズ、キャップ、ヘルメット、ボール、ラッケットなどの記念品が収納できて、全体的に記念品の様相を飾り置くことがで��るケースは存在しない。
【先行技術文献】
【特許文献】
【０００７】
【特許文献１】実用新案登録第３０９７０１９号公報
【特許文献２】実用新案登録第３１１３６３７号公報
【特許文献３】実用新案登録第３１２５１２８号公報
【特許文献４】特表２００４−５２８１２８号公報
【特許文献５】実用新案登録第３１２６１４２号号公報
【考案の概要】
【考案が解決しようとする課題】
【０００８】アスリート、アーティスト、タレントが所有していたサイン入りグローブ、シューズ、キャップ、ヘルメット、ボール、ラッケットなどの記念品を入手して、長く保存して鑑賞を行いたいのが、一般的で形態である。特にフアンとしてのアスリートであるプロの選手の記念のグローブ、スパイクなどを特定の崇拝する対象者として所有物品を物品支持台に支持させる記念品として鑑賞的観察・拝見できるようになっている適切な飾りケースが求められている。【０００９】記念品であってアスリート、アーティスト、タレントの対象者のグローブ、シューズ、キャップ、ヘルメット、ボール、ラッケット物品を透明容器で覆った物品支持台に支持させている記念品収納飾り透明囲い容器ケースに納めて、上記のアスリートなどの対象者の記念とする物品を、透明囲い容器に納めて、その内部に保持された対象物を外部からの鑑賞的拝見・見物する。対象者の物品の対象物の裏面も十分に拝見・観察できるようにする。それにはケース内に鏡面を持たせて、裏面が見られる状態で関連する記念品となる用具、物品の前記対象物を十分な領域部分に亘って観察・鑑賞できるようになっている記念品飾りケースは存在しておらず、そのような製品が期待されている。
【課題を解決するための手段】
【００１０】記念品であって特定の対象者の物品を透明容器で覆った物品支持台に保持させている飾りケースにおいて、特定の対象者の物品を、物品支持台を有する一定の透明囲い容器として、その内部に保持された対象物の保管と鑑賞とを可能にし、対象物の裏面も含めて全面を十分に鑑賞・観察できるように、物品支持台の上面を鏡面にして、対象物を保持・設置する固定台も透明樹脂によって製作されて、関連する記念品となる特定の対象者の物品の前記対象物を全面に亘って鑑賞できるようになっている記念品飾りケースである。【００１１】前記透明囲い容器は、２〜８ｍｍの厚さの透明性アクリル酸樹脂で、一辺１００〜７００ｍｍ、高さ１００〜７００ｍｍの四角形、五角形、六角形箱状体であって、嵌め込み型、或いは置き型の状態で前記物品支持台上に置かれ、前記物品支持台は前記囲い容器の形状と同形であって、モールディング材料での棹状フレームとスペーサー体で同形状に製作されている額縁状にして、表面に鏡面を持つガラス材、又は樹脂材、又は金属材と底面に木質板材から構成された３０〜１００ｍｍ高さの額縁状箱体にしており、前記透明囲い容器と前記物品支持台とを嵌め込み型、或いは置き型状態にして接合されている。また前記透明囲い容器は、額縁状箱体の上部に１〜３段と重ねて使用することもある。【００１２】記念品であって特定の対象者の物品は、アスリート、アーティスト、タレントが所有していた、容積として５０〜３０００ｃｍ３であるグローブ、シューズ、キャップ、ヘルメット、ボール、ラッケットであって、前記物品を固定する固定台として、３〜５ｍｍの厚さの透明なアクリル酸製樹脂の円筒形、又は平板のＴ形とＨ形の形状で、高さ２０〜１００ｍｍ、幅５０〜１００ｍｍ、奥行き５０〜１００ｍｍの寸法になっている。【００１３】物品支持台の上面を鏡面は、モールディング材料での棹状フレームとスペーサー体で製作された額縁状枠体に、四角形、五角形、六角形の形状のガラス、また樹脂、又は金属の鏡面板体を嵌め込まれており、また各形状の側面の内一面を鏡面にしていることもある。また額縁状枠体に載せた前記鏡面板体の上面に、対象物を設置する前記透明固定台を載せて、例えば飾りながらスパイクケースに於けるスパイクの裏面の滑り止めの突起（ポイント）を鑑賞できるような対象物の裏面を反射的に映し出して鑑賞・観察できるようにして、前記透明性囲い容器を前記額縁状枠体の内側に置く置き型、又は前記額縁状枠体の外側に嵌める嵌め込み型の状態にして、対象物の裏面容姿を強調的に表現させている。加えて鏡面の反射効果で照明量の不足しがちな夜間時でも明るさが確保され鑑賞の助けとなっている。
【考案の効果】
【００１４】記念品であってアスリート、プロ選手の対象者で使用したグローブ、シューズ、キャップ、ヘルメット、ボール、ラッケット物品を透明容器で覆った物品支持台に支持させている記念品収納飾り透明囲い容器ケースに納めて、上記の物品を、透明囲い容器にして、その内部に保持された対象物を何時もの鑑賞的見物できるようになっている。プロ選手の物品のグローブ、シューズなどの対象物の裏面も十分に鑑賞、観察できるようになっている。収納ケース内に鏡面を持たせて、関連する記念品となる用具、物品の前記対象物を裏面など全面的に、しかも十分な領域部分に亘って観察・鑑賞できるようになった。加えて固定台の素材に透明アクリルのような透明樹脂体を用いることで、遠目には固定台の存在が消失し、あたかも対象物であるグローブやボールが空中浮遊しているかのごとき視覚装飾上のプラス効果がもたらされた。
【図面の簡単な説明】
【００１５】
【図１】本考案を  四角形の状態の記念品飾りケースのセット状態を含む斜視図である。Ａ：嵌め込み型（ａ：セット状態）  Ｂ：置き型（ｂ：セット状態）
【図２】記念品飾りケースを表した部分品の図である。Ａ：透明囲い容器  Ｂ：物品支持台  Ｃ：固定台  Ｄ：鏡面
【図３】本考案の記念品飾りケースにおけるグローブとスパイク内容物の異なるもの斜視図である。Ａ：グローブ  Ｂ：スパイク
【図４】本考案を  五角形の状態の記念品飾りケースの斜視図である。
【図５】本考案を  五角形の状態の記念品飾りケース内にサイン入りボール収納の斜視図である。Ａ：展示状態  Ｂ：セット状態
【考案を実施するための形態】
【００１６】記念品であって特定の対象者の物品を透明容器で覆った物品支持台に支持させている飾りケースにおいて、特定の対象者の物品を、物品支持台を有する一定の透明囲い容器にして、その内部に保持された対象物を外部からの鑑賞的見物を可能にし、対象物の裏面も十分に観察できるようにするために、物品支持台の上面を鏡面にして、対象物を設置する固定台も透明樹脂製によって製作されて、関連する記念品となる用具、物品の前記対象物を十分な領域部分に亘って観察・鑑賞できるようにしている。
【実施例１】
【００１７】図１に示すように透明樹脂製四角囲い容器、飾りケースは、３ｍｍの厚さの透明性アクリル酸樹脂で、一辺３００ｍｍ、高さ３００ｍｍの四角形箱状体であって、Ａの嵌め込み型、或いはＢの置き型に物品支持台上に置かれ、前記物品支持台は前記囲い容器の形状と同形であって、モールディング材料での棹状フレームとスペーサー体で同形状に製作されている額縁状にして、表面に鏡面を持つガラス材と底面に木質板材から構成された７０ｍｍ高さの額縁状箱体になっており、前記透明囲い容器と前記物品支持台とをＡの嵌め込み型、或いはＢの置き型にして接合させ、記念品鑑賞の飾りケースにした。【００１８】記念品であって特定の対象者の物品は、アスリートが所有するボールであって、
記念の物品を固定する固定台として、３ｍｍの厚さの透明なアクリル酸製樹脂の円筒形で、高さ５０ｍｍ、直径８０ｍｍの形状にした。【００１９】図２のＡ，Ｂ，Ｃ，Ｄで示すように、物品支持台の上面をガラス製鏡面は、モールディング材料での棹状フレームとスペーサー体で製作された額縁状枠体に四角形の形状の鏡ガラスを嵌め込まれており、前記鏡面の上面に、対象物を設置する前記透明固定台を載せて、対象物の裏面を反射的に映し出してボールの裏面のサインなどを観察できるようにして、図１に示すように前記透明性囲い容器を前記額縁状枠体の内側に置く置き型Ａ、又は前記額縁状枠体の外側に嵌める嵌め込み型Ｂの状態にして、対象物の裏面を強調的に表現させた。
【実施例２】
【００２０】図３Ａに示すように前記透明囲い容器は、３ｍｍの厚さの透明性アクリル酸樹脂で、一辺２５０ｍｍ、高さ３００ｍｍの四角形形箱状体であって、嵌め込み型に前記物品支持台上に置かれ、前記物品支持台は前記囲い容器の形状と同形であって、モールディング材料での棹状フレームとスペーサー体で同形状に製作されている額縁状にして、表面に鏡面を持つガラス材と底面に木質板材から構成された３０〜１００ｍｍ高さの額縁状箱体になっており、前記透明囲い容器と前記物品支持台とを嵌め込み型にして接合させた。【００２１】記念品であって特定の対象者の物品は、アスリートのプロ野球選手が所有するグローブであって、前記物品を固定する固定台として、３ｍｍの厚さの透明なアクリル酸製樹脂のＴ形で、高さ７０ｍｍ、幅７０ｍｍの形状にした。【００２２】物品支持台の上面を鏡面は、モールディング材料での棹状フレームとスペーサー体で製作された額縁状枠体に四角形の形状の鏡ガラスを嵌め込まれており、前記鏡面の上面に、対象物を設置する前記透明固定台を載せて、対象物の裏面を反射的に映し出して観察できるようにして、前記額縁状枠体の外側に嵌める嵌め込み型の状態にして、対象物の裏面を強調的に表現させた。
【実施例３】
【００２３】図４に示すように前記透明囲い容器は、３ｍｍの厚さの透明性アクリル酸樹脂で、一辺３００ｍｍ、高さ４００ｍｍの五角形箱状体であって、嵌め込み型、に前記物品支持台上に置かれ、前記物品支持台は前記囲い容器の形状と同形であって、モールディング材料での棹状フレームとスペーサー体で同形状に製作されている額縁状にして、表面に鏡面を持つ樹脂材と底面に木質板材から構成された７０ｍｍ高さの額縁状箱体になっており、前記透明囲い容器と前記物品支持台とを嵌め込み型にして接合させた。【００２４】記念品であって特定の対象者の物品は、アスリートであるサッカー選手が所有するサッカーボールであって、前記物品を固定する固定台として、３ｍｍの厚さの透明なアクリル酸製樹脂の円筒形で、高さ５０ｍｍ、直径６０ｍｍの形状にした。【００２５】物品支持台の上面を鏡面は、モールディング材料での棹状フレームとスペーサー体で製作された額縁状枠体に五角形の形状の鏡面の樹脂製を嵌め込まれており、前記鏡面の上面に、対象物を設置する前記透明固定台を載せて、対象物の裏面を反射的に映し出して観察できるようにして、前記透明性囲い容器を前記額縁状枠体の外側に嵌める嵌め込み型の状態にして、対象物の裏面を強調的に表現させた。
【符号の説明】
【００２６】  １  飾りケース
２  支持台
３  透明樹脂ケース
４  鏡面板
５  固定台
６  額縁状枠体
７  置き型箱体
８  嵌め込み型箱体
９  ボール
１０  スパイク
１１  グローブ
１２  溶接接合部
１３  サイン
【図１】
0003216238.tif 000003
【図２】
0003216238.tif 000004
【図３】
0003216238.tif 000005
【図４】
0003216238.tif 000006
【図５】
0003216238.tif 000007